【手続補正書】
【提出日】平成26年2月28日(2014.2.28)
【手続補正１】
【補正対象書類名】特許請求の範囲
【補正対象項目名】全文
【補正方法】変更
【補正の内容】
【特許請求の範囲】
【請求項１】
携帯型ディスペンサーであって、
入口端と、出口端と、その間の長さと、を有し、さらに、内径を有する、調節器チューブと、
治療用ガスを含む、圧縮ガスシリンダと、
該ガスシリンダおよび該調節器チューブの該入口端に連結される、バルブと、
該調節器チューブの該出口端に連結される、鼻当てと、
を含む、携帯型ディスペンサー。
【請求項２】
前記バルブは、ステムバルブである、請求項１に記載の携帯型ディスペンサー。
【請求項３】
前記治療用ガスは、二酸化炭素を含む、請求項１に記載の携帯型ディスペンサー。
【請求項４】
前記調節器チューブは、コイル状である、請求項１に記載の携帯型ディスペンサー。
【請求項５】
前記調節器チューブの長さは、約２．５４ｃｍ（１．０インチ）から約１５２．４ｃｍ（６０インチ）の範囲である、請求項１に記載の携帯型ディスペンサー。
【請求項６】
前記調節器チューブの長さは、約９１．４ｃｍ（３６インチ）である、請求項５に記載の携帯型ディスペンサー。
【請求項７】
前記調節器チューブの長さは、約１２．７ｃｍ（５．０インチ）から約３８．１ｃｍ（１５インチ）の範囲である、請求項１に記載の携帯型ディスペンサー。
【請求項８】
前記調節器チューブの長さは、約１２．７ｃｍ（５インチ）である、請求項７に記載の携帯型ディスペンサー。
【請求項９】
前記調節器チューブの内径は、約０．００２５４ｃｍ（０．００１インチ）から約０．０１２７ｃｍ（０．００５インチ）の範囲である、請求項１に記載の携帯型ディスペンサー。
【請求項１０】
前記調節器チューブの内径は、約０．００３ｃｍ（０．００１インチ）である、請求項９に記載の携帯型ディスペンサー。
【請求項１１】
前記調節器チューブの内径は、約０．０１０２ｃｍ（０．００４インチ）である、請求項９に記載の携帯型ディスペンサー。
【請求項１２】
前記調節器チューブの長さ対内径の比率は、約５００：１から約１２，０００：１の範囲である、請求項１に記載の携帯型ディスペンサー。
【請求項１３】
前記調節器チューブの長さ対内径の比率は、約５０００：１である、請求項１２に記載の携帯型ディスペンサー。
【請求項１４】
前記調節器チューブの長さ対内径の比率は、約９０００：１である、請求項１２に記載の携帯型ディスペンサー。
【請求項１５】
治療用ガスをユーザに鼻腔内送達するための携帯型ディスペンサーであって、該ディスペンサーは、
入口端と、出口端と、その間の長さと、を有し、さらに、内径を有する、調節器チューブと、
治療用ガスを含む、圧縮ガスシリンダと、
該ガスシリンダおよび該調節器チューブの入口端に連結される、バルブと、
該調節器チューブの出口端に連結される、鼻当てと、
を含み、
該ディスペンサーは、ユーザの鼻孔内に挿入されるように構成され、
該バルブは、作動されて、該圧縮ガスシリンダから、該調節器チューブおよび該鼻当てを通して、該治療用ガスが選択的に排出されるように構成され、
該調節器チューブは、該圧縮ガスシリンダから放出される、該治療用ガスの流量および圧力を調節するように構成される、携帯型ディスペンサー。
【請求項１６】
前記治療用ガスは、二酸化炭素を含む、請求項１５に記載の携帯型ディスペンサー。
【請求項１７】
前記調節器チューブの入口端における、前記治療用ガスの圧力は、約３００ｐｓｉから約１８００ｐｓｉの範囲である、請求項１５に記載の携帯型ディスペンサー。
【請求項１８】
前記調節器チューブの入口端における、前記治療用ガスの圧力は、約６００ｐｓｉから約１２００ｐｓｉの範囲である、請求項１７に記載の携帯型ディスペンサー。
【請求項１９】
前記調節器チューブの入口端における、前記治療用ガスの圧力は、約７５０ｐｓｉから約９００ｐｓｉの範囲である、請求項１８に記載の携帯型ディスペンサー。
【請求項２０】
前記調節器チューブの入口端における、前記治療用ガスの圧力は、約８５０ｐｓｉである、請求項１５に記載の携帯型ディスペンサー。
【請求項２１】
前記調節器チューブの出口端における、前記治療用ガスの圧力は、約１４．７ｐｓｉである、請求項１５に記載の携帯型ディスペンサー。
【請求項２２】
前記調節器チューブは、約０．１０ＳＬＰＭから約１．０ＳＬＰＭの範囲の流量において、前記治療用ガスを送達するように構成される、請求項１５に記載の携帯型ディスペンサー。
【請求項２３】
前記調節器チューブは、約０．５０ＳＬＰＭの流量において、前記治療用ガスを送達するように構成される、請求項２２に記載の携帯型ディスペンサー。
【請求項２４】
前記治療用ガスは、医療状態を処置するために送達されるものである、請求項１５に記載の携帯型ディスペンサー。
【請求項２５】
前記医療状態は、頭痛、顎痛、顔面痛、アレルギー状態、ぜんそく、および神経疾患から成る群から選択される、請求項２４に記載の携帯型ディスペンサー。
【請求項２６】
前記医療状態は、頭痛である、請求項２５に記載の携帯型ディスペンサー。
【請求項２７】
前記医療状態は、アレルギー状態である、請求項２５に記載の携帯型ディスペンサー。
【請求項２８】
前記アレルギー状態は、アレルギー性鼻炎である、請求項２７に記載の携帯型ディスペンサー。
【請求項２９】
前記アレルギー性鼻炎は、季節性アレルギー性鼻炎である、請求項２８に記載の携帯型ディスペンサー。
【請求項３０】
前記アレルギー性鼻炎は、通年性アレルギー性鼻炎である、請求項２８に記載の携帯型ディスペンサー。
【手続補正２】
【補正対象書類名】明細書
【補正対象項目名】０００７
【補正方法】変更
【補正の内容】
【０００７】
前述の治療用ガスを送達するための方法が、種々の医学的状態を処置するために採用され得る。例えば、治療用ガスは、頭痛（例えば、偏頭痛、緊張性頭痛、群発性頭痛）、顎痛、顔面痛（例えば、三叉神経痛）、アレルギー状態（例えば、季節性アレルギー性鼻炎および通年性アレルギー性鼻炎を備える、鼻炎、ならびに結膜炎）、ぜんそく、神経疾患（例えば、てんかん、パーキンソン病）、虚血性心疾患、ならびに肺高血圧症と関連した症状を処置するために送達されてもよい。この方法のいくつかの変形例は、季節性アレルギー性鼻炎または通年性アレルギー性鼻炎を処置するために送達されるガスとして、二酸化炭素を採用する。別の変形例では、一酸化窒素またはその改変体が、虚血性心疾患を処置するために送達される。さらなる変形例では、酸化窒素またはその改変体が、肺高血圧症を処置するために送達される。
本発明は、例えば以下の項目を提供する。
（項目１）
携帯型ディスペンサーであって、
入口端と、出口端と、その間の長さと、を有し、さらに、内径を有する、調節器チューブと、
治療用ガスを含む、圧縮ガスシリンダと、
該ガスシリンダおよび該調節器チューブの該入口端に連結される、バルブと、
該調節器チューブの該出口端に連結される、鼻当てと、
を含む、携帯型ディスペンサー。
（項目２）
前記バルブは、ステムバルブである、項目１に記載の携帯型ディスペンサー。
（項目３）
前記治療用ガスは、二酸化炭素を含む、項目１に記載の携帯型ディスペンサー。
（項目４）
前記調節器チューブは、コイル状である、項目１に記載の携帯型ディスペンサー。
（項目５）
前記調節器チューブの長さは、約２．５４ｃｍ（１．０インチ）から約１５２．４ｃｍ（６０インチ）の範囲である、項目１に記載の携帯型ディスペンサー。
（項目６）
前記調節器チューブの長さは、約９１．４ｃｍ（３６インチ）である、項目５に記載の携帯型ディスペンサー。
（項目７）
前記調節器チューブの長さは、約１２．７ｃｍ（５．０インチ）から約３８．１ｃｍ（１５インチ）の範囲である、項目１に記載の携帯型ディスペンサー。
（項目８）
前記調節器チューブの長さは、約１２．７ｃｍ（５インチ）である、項目７に記載の携帯型ディスペンサー。
（項目９）
前記調節器チューブの内径は、約０．００２５４ｃｍ（０．００１インチ）から約０．０１２７ｃｍ（０．００５インチ）の範囲である、項目１に記載の携帯型ディスペンサー。
（項目１０）
前記調節器チューブの内径は、約０．００３ｃｍ（０．００１インチ）である、項目９に記載の携帯型ディスペンサー。
（項目１１）
前記調節器チューブの内径は、約０．０１０２ｃｍ（０．００４インチ）である、項目９に記載の携帯型ディスペンサー。
（項目１２）
前記調節器チューブの長さ対内径の比率は、約５００：１から約１２，０００：１の範囲である、項目１に記載の携帯型ディスペンサー。
（項目１３）
前記調節器チューブの長さ対内径の比率は、約５０００：１である、項目１２に記載の携帯型ディスペンサー。
（項目１４）
前記調節器チューブの長さ対内径の比率は、約９０００：１である、項目１２に記載の携帯型ディスペンサー。
（項目１５）
治療用ガスをユーザに鼻腔内送達するための方法であって、
携帯型ディスペンサーをユーザの鼻孔内に挿入するステップであって、該ディスペンサーは、
入口端と、出口端と、その間の長さと、を有し、さらに、内径を有する、調節器チューブと、
治療用ガスを含む、圧縮ガスシリンダと、
該ガスシリンダおよび該調節器チューブの入口端に連結される、バルブと、
該調節器チューブの出口端に連結される、鼻当てと、
を含む、ステップと、
該バルブを作動させ、該圧縮ガスシリンダから、該調節器チューブおよび該鼻当てを通して、該治療用ガスを選択的に排出するステップと、
を備え、該調節器チューブは、該圧縮ガスシリンダから放出される、該治療用ガスの流量および圧力を調節する、方法。
（項目１６）
前記治療用ガスは、二酸化炭素を含む、項目１５に記載の方法。
（項目１７）
前記調節器チューブの入口端における、前記治療用ガスの圧力は、約３００ｐｓｉから約１８００ｐｓｉの範囲である、項目１５に記載の方法。
（項目１８）
前記調節器チューブの入口端における、前記治療用ガスの圧力は、約６００ｐｓｉから約１２００ｐｓｉの範囲である、項目１７に記載の方法。
（項目１９）
前記調節器チューブの入口端における、前記治療用ガスの圧力は、約７５０ｐｓｉから約９００ｐｓｉの範囲である、項目１８に記載の方法。
（項目２０）
前記調節器チューブの入口端における、前記治療用ガスの圧力は、約８５０ｐｓｉである、項目１５に記載の方法。
（項目２１）
前記調節器チューブの出口端における、前記治療用ガスの圧力は、約１４．７ｐｓｉである、項目１５に記載の方法。
（項目２２）
前記調節器チューブは、約０．１０ＳＬＰＭから約１．０ＳＬＰＭの範囲の流量において、前記治療用ガスを送達する、項目１５に記載の方法。
（項目２３）
前記調節器チューブは、約０．５０ＳＬＰＭの流量において、前記治療用ガスを送達する、項目２２に記載の方法。
（項目２４）
前記治療用ガスは、医療状態を処置するために送達される、項目１５に記載の方法。
（項目２５）
前記医療状態は、頭痛、顎痛、顔面痛、アレルギー状態、ぜんそく、および神経疾患から成る群から選択される、項目２４に記載の方法。
（項目２６）
前記医療状態は、頭痛である、項目２５に記載の方法。
（項目２７）
前記医療状態は、アレルギー状態である、項目２５に記載の方法。
（項目２８）
前記アレルギー状態は、アレルギー性鼻炎である、項目２７に記載の方法。
（項目２９）
前記アレルギー性鼻炎は、季節性アレルギー性鼻炎である、項目２８に記載の方法。
（項目３０）
前記アレルギー性鼻炎は、通年性アレルギー性鼻炎である、項目２８に記載の方法。